(57)【要約】【課題】  音楽データの中からユーザの所望の演奏部分のみ取り出して再生したり格納することが可能な電子機器を提供する。【解決手段】  まず、再生中の音楽データから切出開始地点を指定する（図４（ｂ））。具体的には、ユーザが切出開始地点を指定すると、手のアイコン３１０が音楽データの切出開始地点を指示する（図４（ｂ））。続いて、ユーザが切出終了地点を指定すると、手のアイコン３２０が音楽データの切出終了地点を指示する（図４（ｃ））。このアイコン３２０が示す切出開始地点と切出終了地点との間の音楽データを１つの音楽データとしてメモリに格納可能であり、又、着信メロディとして設定可能でもある。【選択図】  図４
2009128727.tif 000002
【特許請求の範囲】
【請求項１】
音楽データを再生する第１ステップと、
当該第１ステップで再生された音楽データから指定された部分のみを取り出す第２ステップと、
当該第２ステップで取り出した部分の音楽データを格納する第３ステップ、
により音楽データを生成可能であることを特徴とする音楽データを再生可能な電子機器。
【請求項２】
音楽データを再生する第１ステップと、
当該第１ステップで再生された音楽データから指定された楽器の演奏部分のみを取り出す第２ステップと、
当該第２ステップで取り出した部分の音楽データを格納する第３ステップ、
により音楽データを生成可能であることを特徴とする音楽データを再生可能な電子機器。
【請求項３】
音楽データを格納する格納手段と、当該格納手段に格納された音楽データを再生する再生手段と、入力手段と、
前記再生手段により音楽データが再生されている際に、前記入力手段から、再生されている音楽データから音楽データを取り出す操作があると判定すると、指定された範囲の音楽データを取り出すよう制御する制御手段と、を有することを特徴とする音楽データを再生可能な電子機器。
【請求項４】
音楽データを格納する格納手段と、当該格納手段に格納された音楽データの再生範囲を表示可能な表示手段と、入力手段と、
前記入力手段から、前記表示手段に表示されている音楽データの再生範囲から、所定の範囲の音楽データの選択があると、選択された範囲の音楽データを取り出すよう制御する制御手段と、を有することを特徴とする音楽データを再生可能な電子機器。
【請求項５】
音楽データを格納する格納手段と、当該格納手段に格納された音楽データを再生する再生手段と、入力手段と、
前記再生手段により音楽データが再生されている際に、前記入力手段から、再生されている音楽データから指定した楽器の音楽データを取り出す操作があると判定すると、指定された楽器の音楽データを取り出すよう制御する制御手段と、を有することを特徴とする音楽データを再生可能な電子機器。
【請求項６】
音楽データを格納する格納手段と、当該格納手段に格納された音楽データを周波数成分に変換する周波数変換手段と、入力手段と、
前記再生手段により音楽データが再生されている際に、前記入力手段から、再生されている音楽データから指定された楽器の音楽データを取り出す操作があると判定すると、再生されている音楽データを前記周波数変換手段で周波数データに変換させ、変換された周波数データから前記指定された楽器の音楽データに対応する周波数データのみを取り出し、当該取り出した周波数データに対応する音楽データを前記格納手段に格納するよう制御する制御手段と、を有することを特徴とする音楽データを再生可能な電子機器。
【請求項７】
音楽データを格納する格納手段と、当該格納手段に格納された音楽データをスペクトル成分に変換するスペクトル変換手段と、入力手段と、
前記再生手段により音楽データが再生されている際に、前記入力手段から、再生されている音楽データから指定された楽器の音楽データを取り出す操作があると判定すると、再生されている音楽データを前記スペクトル変換手段でスペクトルデータに変換させ、変換されたスペクトルデータから前記指定された楽器の音楽データに対応するスペクトルデータのみを取り出し、当該取り出したスペクトルデータに対応する音楽データを前記格納手段に格納するよう制御する制御手段と、を有することを特徴とする音楽データを再生可能な電子機器。
【発明の詳細な説明】
【技術分野】
【０００１】
本発明は、音楽データを再生可能な電子機器に関する。
【背景技術】
【０００２】
近年では、音楽データの圧縮技術が向上した為に、様々な装置で音楽データを再生し楽しむことが可能になってきている。例えば、携帯電話装置のような電子機器にも音楽を再生する機能が搭載されており、ユーザは、携帯電話装置にイヤホンを装着し、簡単な操作でお好みの音楽を聴くことができる。又、その音質もポータブルＣＤプレーヤやＭＤプレーヤに劣らない程の高音質で聞くことが可能である。
【０００３】
又、携帯電話装置では、装置に記憶した音楽データを着信メロディに設定することが可能である。更に、このような携帯電話装置に関する技術も数多く提案されており、例えば、特許文献１には、登録されている着信メロディの内から任意に選択した複数の曲を任意の順番でメドレーの形で再生する技術が記載されている。
【特許文献１】特開２００１−９４６３５号公報
【発明の開示】
【発明が解決しようとする課題】
【０００４】
しかしながら、上記特許文献１記載の技術では、携帯電話装置に記憶されている音楽データから、ユーザが取り出したい部分のみを取り出し、着信メロディにすることができなかった。又、ユーザが好きな楽器による演奏部分のみを取り出し、再生又は着信メロディとすることができなかった。
可能であれば、音楽データの内、ユーザの所望の演奏部分のみを取り出して１つの音楽データとすることが可能であることが好ましい。このようなことが可能であれば、ユーザがお好みの演奏箇所だけを再生して聞いたり、繰り返し再生して聞きながら演奏の練習を行ったり、着信メロディにする等、ユーザが音楽を楽しむ自由度が増す。
更に、ユーザの所望の楽器の演奏部分のみを取り出して１つの音楽データとすることが可能であることが好ましい。このようなことが可能であれば、ユーザがお好みの楽器の演奏箇所だけを再生して聞いたり、繰り返し再生して聞きながら演奏の練習を行ったり、着信メロディにする等、ユーザが音楽を楽しむ自由度が増す。
【課題を解決するための手段】
【０００５】
本発明はこのような課題を解決する為のものであり、音楽データの内、ユーザの所望の演奏部分のみを取り出し（切り出し）て１つの音楽データにすることが可能であり、又、ユーザの所望の楽器の演奏部分のみを取り出し（切り出し）て１つの音楽データにすることが可能な電子機器を提供するものである。
請求項１に記載の音楽データを再生可能な電子機器は、音楽データを再生する第１ステップと、当該第１ステップで再生された音楽データから指定された部分のみを取り出す第２ステップと、当該第２ステップで取り出した部分の音楽データを格納する第３ステップ、  により音楽データを生成可能であることを特徴とする。
【０００６】
請求項２に記載の音楽データを再生可能な電子機器は、音楽データを再生する第１ステップと、当該第１ステップで再生された音楽データから指定された楽器の演奏部分のみを取り出す第２ステップと、当該第２ステップで取り出した部分の音楽データを格納する第３ステップ、により音楽データを生成可能であることを特徴とする。
請求項３に記載の音楽データを再生可能な電子機器は、音楽データを格納する格納手段と、当該格納手段に格納された音楽データを再生する再生手段と、入力手段と、前記再生手段により音楽データが再生されている際に、前記入力手段から、再生されている音楽データから音楽データを取り出す操作があると判定すると、指定された範囲の音楽データを取り出すよう制御する制御手段と、を有することを特徴とする。
請求項４に記載の音楽データを再生可能な電子機器は、音楽データを格納する格納手段と、当該格納手段に格納された音楽データの再生範囲を表示可能な表示手段と、入力手段と、前記入力手段から、前記表示手段に表示されている音楽データの再生範囲から、所定の範囲の音楽データの選択があると、選択された範囲の音楽データを取り出すよう制御する制御手段と、を有することを特徴とする。
請求項５に記載の音楽データを再生可能な電子機器は、音楽データを格納する格納手段と、当該格納手段に格納された音楽データを再生する再生手段と、入力手段と、前記再生手段により音楽データが再生されている際に、前記入力手段から、再生されている音楽データから指定した楽器の音楽データを取り出す操作があると判定すると、指定された楽器の音楽データを取り出すよう制御する制御手段と、を有することを特徴とする。
請求項６に記載の音楽データを再生可能な電子機器は、音楽データを格納する格納手段と、当該格納手段に格納された音楽データを周波数成分に変換する周波数変換手段と、入力手段と、前記再生手段により音楽データが再生されている際に、前記入力手段から、再生されている音楽データから指定された楽器の音楽データを取り出す操作があると判定すると、再生されている音楽データを前記周波数変換手段で周波数データに変換させ、変換された周波数データから前記指定された楽器の音楽データに対応する周波数データのみを取り出し、当該取り出した周波数データに対応する音楽データを前記格納手段に格納するよう制御する制御手段と、を有することを特徴とする。
請求項７に記載の音楽データを再生可能な電子機器は、音楽データを格納する格納手段と、当該格納手段に格納された音楽データをスペクトル成分に変換するスペクトル変換手段と、入力手段と、前記再生手段により音楽データが再生されている際に、前記入力手段から、再生されている音楽データから指定された楽器の音楽データを取り出す操作があると判定すると、再生されている音楽データを前記スペクトル変換手段でスペクトルデータに変換させ、変換されたスペクトルデータから前記指定された楽器の音楽データに対応するスペクトルデータのみを取り出し、当該取り出したスペクトルデータに対応する音楽データを前記格納手段に格納するよう制御する制御手段と、を有することを特徴とする。
【発明の効果】
【０００７】
本発明では、音楽データの中からユーザの所望の部分（範囲）の音楽データのみを取り出すことが可能である為、ユーザのお好みの部分の音楽データのみを保存したり再生することが可能である。
【０００８】
又、本発明では、音楽データの中からユーザが所望する楽器の演奏部分の音楽データのみを取り出すことが可能である為、ユーザのお好みの楽器の音楽データのみを保存したり再生することが可能である。
【実施例】
【０００９】
図１は、本発明を適用してなる実施例装置（例えば、携帯電話機）の概略構成を示すブロック図である。図１に示すように、携帯電話機は、アンテナ１４と接続された通信部１３を備えている。この通信部１３は、後述のベースバンド部１０と接続されており、ベースバンド部１０からの信号を、アンテナ１４を介して基地局へ発信し、あるいはアンテナ１４を介して基地局からの電波を受信する。
【００１０】
ベースバンド部１０は、ＣＤＭＡ処理回路１１と、音声コーデック１２と、を有している。ここで、ＣＤＭＡ処理回路１１は、符号分割多元接続、スクランブル、誤り制御、タイミング検出を行う。また、音声コーデック１２は、音声を圧縮（符号化）、伸張（復号化）したり、アナログとデジタルの変換を行ったり、内部の増幅回路（図示省略）により受話音量やマイクロホンの感度を変更する。
【００１１】
また、ベースバンド部１０には、切替回路２０が接続されている。この切替回路２０には、増幅回路２１を介して第１スピーカ２２が接続されている。この第１スピーカ２２は、増幅回路２１で増幅されたベースバンド部１０の電気信号を音声に変換する。この第１スピーカ２２は、ユーザの耳にあてて通話に使用される。
【００１２】
また、切替回路２０には、増幅回路２３を介してマイクロホン２４が接続されている。このマイクロホン２４は、通話に使用され、音声を電気信号に変換する。マイクロホン２４により入力された電気信号は、増幅回路２３で増幅されてベースバンド部１０に出力される。
【００１３】
また、切替回路２０には、増幅回路２５を介して第２スピーカ２６が接続されている。この第２スピーカ２６は、増幅回路２５で増幅されたベースバンド部１０の電気信号を音声に変換する。この第２スピーカ２６は、受話音を周囲の人にも聞かせるための拡声用のスピーカである。また、第２スピーカ２６は、着信報知の鳴動も行う。なお、これらの３つの増幅回路２１，２３，２５は、ゲインを固定しており、第１スピーカ２２及び第２スピーカ２６の音量やマイクロホン２４の感度を変更することはできないようになっている。
【００１４】
この切替回路２０は、ベースバンド部１０との接続を、第１スピーカ２２用の増幅回路２１とマイクロホン２４用の増幅回路２３側にするか、あるいは拡声用の第２スピーカ２６用の増幅回路２５とマイクロホン２４用の増幅回路２３側にするかを切り替える。
【００１５】
また、通信部１３、ベースバンド部１０、切替回路２０は、それぞれ制御回路１００に接続されている。制御回路１００には、ＲＯＭ３１，ＲＡＭ３２が接続されており、ＲＯＭ３１には、制御回路１００を動作させるためのシステムプログラムが格納され、ＲＡＭ３２は、制御回路１００の動作に必要な各種情報が記憶される。
ＲＡＭ（Ｒａｎｄｕｍ  Ａｃｃｅｓｓ  Ｍｅｍｏｒｙ）３２には、圧縮された音楽データが格納されている。例えば、ＭＰＥＧ４−ＡＡＣ（Ａｄｖａｎｃｅｄ  Ａｕｄｉｏ  Ｃｏｄｉｎｇ）方式や、ＨＥ−ＡＡＣ（Ｈｉｇｈ  Ｅｆｆｉｃｉｅｎｃｙ−Ａｄｖａｎｃｅｄ  Ａｕｄｉｏ  Ｃｏｄｉｎｇ）方式で圧縮された音楽データが格納されている。この圧縮された音楽データには、曲名（タイトル）、曲の長さ（再生時間）、歌詞等の情報も対応付けて格納されている。又、ＲＡＭ３２では、格納されている音楽データから所定の部分を取り出した音楽データや、所定の楽器の演奏部分のみ取り出した音楽データ等も格納されている。更に、これら取り出した音楽データを着信メロディとして設定する情報も格納可能である。例えば、取り出した音楽データと発呼側の電話番号（或いは氏名）とを対応付けて格納可能である。尚、ＲＡＭの代わりにフラッシュメモリ等を用いても良い。
制御回路１００は、携帯電話装置内部の各ブロックを制御するだけでなく、以下に説明する機能も有している。
制御回路１００内のバッファメモリ１１０は、ＲＡＭ３２に格納されている音楽データを一時的に格納する他、ＲＡＭ３２に格納された音楽データのうち、ユーザの操作に応じて取り出した音楽データ等も一時的に格納する。尚、バッファメモリ１１０は、例えば書き換え可能なフラッシュメモリが用いられる。
周波数変換部１２０は、バッファメモリ１１０に格納された圧縮された音楽データを周波数データに変換する。
スペクトル変換部１３０は、バッファメモリ１１０に格納された音楽データをスペクトルデータ（例えば、音の振幅を縦軸に、周波数軸を横軸としたグラフ上で表現される振幅―周波数特性のデータや、音の位相を縦軸に、周波数軸を横軸としたグラフ上で表現される、位相―周波数特性のデータ）に変換する。
制御部１４０は、これらバッファメモリ１１０、周波数変換部１２０、スペクトル変換部１３０、制御部１４０等を制御する。
音声コーデック１５０は、音声信号の圧縮、伸張を行い、例えば、ＭＰＥＧ４−ＡＡＣ（Ａｄｖａｎｃｅｄ  Ａｕｄｉｏ  Ｃｏｄｉｎｇ）方式や、ＨＥ−ＡＡＣ（Ｈｉｇｈ  Ｅｆｆｉｃｉｅｎｃｙ−Ａｄｖａｎｃｅｄ  Ａｕｄｉｏ  Ｃｏｄｉｎｇ）方式での音声信号の圧縮、伸張を行う。
次に本実施例装置について説明する。まず、本発明を適用してなる第１実施例では、音楽データの内、ユーザが所望する部分を切り取り、その音楽データを再生、格納、或いは着信メロディとすることが可能である。
【００１６】
第１実施例装置は、以下のような使用形態が考えられる。例えば、ユーザがクラシック音楽、一例を挙げると、パガニーニのバイオリン協奏曲第１番のカデンツァ（独奏楽器がオーケストラの演奏を伴わずに自由に演奏をする部分）の部分を着信メロディにしたい場合には、その部分のみを取り出し、着信メロディにできることができる。
【００１７】
次に第１実施例装置の動作について以下に説明する。
【００１８】
図２は第１実施例装置の動作を示すフロー図であり、図３はＲＡＭ３２に格納されている音楽データのリストを表示する際の、ディスプレイ６０の表示形態を示す図であり、図４は、図２の動作を実行した際のディスプレイ６０の表示形態を示す図である。
【００１９】
まず、図２のフロー図は、ユーザの所定の操作に基づいて、ＲＡＭ３２に格納されている音楽データを読み込み、再生し、再生している音楽データから、ユーザの操作に応じて所望の部分を切り取り、ＲＡＭ３２に格納する際の動作を示すフロー図である。
【００２０】
図２のＳ１ステップにおいて、制御回路１００は、入力部４０から音楽データの再生を指示する操作があると、ＲＡＭ３２から圧縮された音楽データを読み込み、音声コーデック１５０で伸張させてスピーカ２６から出力させる。尚、Ｓ１ステップでディスプレイ６０にＲＡＭ３２に格納されている音楽データのリストを表示させ（図３）、ユーザがカーソル２００を移動させることにより、所望の音楽データを選択、再生することが可能である。
【００２１】
また、音楽データの再生が開始されると、ディスプレイ６０は、図４（ａ）に示す表示画面になる。例えば、ユーザがパガニーニのバイオリン協奏曲第１番の第１楽章を選択し、再生したとすると、ディスプレイ６０には、図４（ａ）に示すように、再生している曲のタイトル、再生中という文字、再生時間とどこまで再生しているかを示すグラフ３００が表示される。音楽データを再生すると、グラフ３００の斜線部分が左側から右側に順に増えてゆき、グラフ３００が全て斜線で埋まると音楽データの再生が完了したことを示し、グラフ３００が空白であると音楽データの再生が未だ行われていないことを示している。
【００２２】
Ｓ２ステップでは、制御回路１００は、入力部４０から、切り取りたい音楽データの開始地点を指示する操作があると、Ｓ３ステップへ処理を進み、そうでなければ、Ｓ６ステップへ処理を進める。
Ｓ３ステップでは、制御回路１００は、Ｓ２ステップで指示された切り取り開始地点の情報をバッファメモリ１１０に格納する。
尚、Ｓ２ステップとＳ３ステップの動作を図４を用いて説明すると、例えばユーザが音楽を聴きながらこの地点で切り取りを開始したいと判断すると、ユーザが切り取り開始指示を入力部４０から行う。この入力操作に応じて、グラフ３００の切り取り開始地点には、アイコン３１０（人差し指で切り取り開始地点がどこかを示しているアイコンである）が表示される（図４（ｂ））。
【００２３】
続くＳ４ステップでは、制御回路１００は、入力部４０から音楽データの切り取りの終了地点の指示を示す入力があると判定すると、Ｓ５ステップへ処理を進め、そうでなければ、Ｓ９ステップへ処理を進める。
【００２４】
Ｓ５ステップでは、制御回路１００は、Ｓ４ステップで指示された切り取り終了地点の情報をバッファメモリ１１０に格納する。
尚、Ｓ４ステップとＳ５ステップの動作を図４を用いて説明すると、例えばユーザが音楽を聴きながらこの地点で切り取りを終了したいと判断すると、ユーザが切り取り終了指示を入力部４０から行う。この入力操作に応じて、グラフ３００の切り取り終了地点には、アイコン３２０（人差し指で切り取り終了地点がどこかを示しているアイコンである）が表示される（図４（ｃ））。
【００２５】
Ｓ６ステップでは、制御回路１００は、入力部４０から音楽データの再生終了指示があるか或いは、１曲の音楽データを全て再生し終わったと判定すると、Ｓ７ステップへ処理を進め、そうでなければ、Ｓ２ステップへ処理を戻す。
【００２６】
Ｓ７ステップでは、制御回路１００は、バッファメモリ１１０に、切り取りの開始地点と終了地点のデータが格納されていると判定すると、Ｓ８ステップへ処理を進め、そうでなければ、バッファメモリ１１０をクリアし、処理を終了する。
【００２７】
Ｓ８ステップでは、制御回路１００は、バッファメモリ１１０に格納されている切り取りの開始地点と終了地点のデータに基づいて、ＲＡＭ３２に格納されている音楽データから、前記開始地点と終了地点のデータが示す範囲の音楽データを切出、ＲＡＭ３２に格納する。尚、このＲＡＭ３２に取り出した音楽データを格納する際に、ユーザが音楽データに対応付けてタイトルを入力し、音楽データとタイトルとをＲＡＭ３２に格納可能としても良い。
【００２８】
Ｓ９ステップでは、制御回路１００は、入力部４０から音楽データの再生終了指示があるか或いは、１曲の音楽データを全て再生し終わったと判定すると、処理を終了し、そうでなければ、Ｓ４ステップへ処理を戻す。
【００２９】
以上説明したように、第１実施例装置では、音楽データの内ユーザが所望する演奏部分のみを取り出すことが可能である。
次に本発明を適用してなる第２実施例について説明する。第２実施例では、音楽データの内、ユーザが所望する楽器が奏でるメロディのみを切り取り、その音楽データを着信メロディとすることが可能である。又、その切り取る区間をユーザが自由に選択できるというものである。
【００３０】
第２実施例装置は、以下のような使用形態が考えられる。例えば、ユーザがモーツアルトのピアノ協奏曲からピアノのメロディのみを取り出したい場合には、音楽データの中から他の楽器（例えば、バイオリン、チェロ、ヴィオラ、フルート、クラリネット、オーボエ、ファゴット、トランペット等）のメロディを削除し、ピアノのメロディのみを取り出すことが可能である。ピアノ協奏曲の場合、ピアノとバイオリンやオーボエ等の音との調和により音楽の美しさが引き立つものであるが、ユーザが特にピアノの演奏部分を聞いて練習をしたい場合や、ピアノの音色が好きなので、ピアノの演奏部分のみを取り出して着信メロディにしたいと考える場合には、第２実施例装置は顕著な効果を奏するものである。
【００３１】
次に、第２実施例装置の動作について図５のフロー図を用いて説明する。まず、第１実施例装置と同様に、ユーザが取り出したい部分を選択する。尚、この取り出す操作に関しては第１実施例と同様である為に説明を省略する。又、第２実施例装置では、ＲＡＭ３２には、楽器毎の周波数データや、楽器毎のスペクトルデータ（例えば、音の振幅を縦軸に、周波数軸を横軸としたグラフ上で表現される振幅―周波数特性のデータや、音の位相を縦軸に、周波数軸を横軸としたグラフ上で表現される、位相―周波数特性のデータ）が格納されている。
【００３２】
図５のフロー図のＳ１０ステップにおいて、制御回路１００は、図６に示すような楽器のリストを表示する。例えば、ピアノ、オーボエ、クラリネット、チェロ等を表示し、続くＳ１１ステップでユーザがカーソル４００を移動させることにより、所望の楽器を選択することが可能である。
【００３３】
Ｓ１１ステップでは、制御回路１００は、入力部４０からカーソル４００を移動し決定する操作があると、Ｓ１２ステップへ処理を進める。
【００３４】
Ｓ１２ステップでは、制御回路１００は、Ｓ１２ステップで選択された楽器の演奏部分のみを音楽データから取り出す。
【００３５】
具体的には、２つの方法が挙げられる。まず、１つめの方法は、周波数の一致を見て取り出す方法である。
詳細に説明すると、制御部１４０は、ＲＡＭ３２に格納されている音楽データ（前記Ｓ１０ステップの前に、例えば図２のフロー図に示す動作で抜きとりＲＡＭ３２に格納した音楽データ）を読み出し、バッファメモリ１１０に格納し、格納した音楽データを周波数変換部で周波数データに変換し、当該変換した周波数データとＲＡＭ３２に格納されている楽器毎の周波数データとを比較し、前記Ｓ１１ステップで選択された楽器の周波数データと一致する周波数データのみをバッファメモリ１１０に残し、のこりの周波数データはバッファメモリ１１０から消去する。続いて、バッファメモリ１１０に残っている周波数データは周波数変換部１２０で、周波数データから圧縮データ（或いは伸張後のデータ）に変換し、バッファメモリ１１０に格納される。このようにして、Ｓ１２ステップで選択された楽器の演奏部分のみの音楽データがバッファメモリ１１０に格納される。
次に２つめの方法である。２つめの方法では、音楽データをスペクトルデータ（例えば、音の振幅を縦軸に、周波数軸を横軸としたグラフ上で表現される振幅―周波数特性のデータや、音の位相を縦軸に、周波数軸を横軸としたグラフ上で表現される、位相―周波数特性のデータ）に変換する。そして、ユーザが指定した楽器のスペクトルの音楽データのみを残すものである。
詳細に説明すると、制御部１４０は、ＲＡＭ３２に格納されている音楽データ（前記Ｓ１０ステップの前に、例えば図２のフロー図に示す動作で抜きとりＲＡＭ３２に格納した音楽データ）を読み出し、バッファメモリ１１０に格納し、格納した音楽データをスペクトル変換部１３０で例えば振幅−周波数特性データに変換し、当該変換した振幅−周波数特性データとＲＡＭ３２に格納されている楽器毎の振幅−周波数特性データとを比較し、前記Ｓ１１ステップで選択された楽器の振幅−周波数特性データと一致する振幅−周波数特性データのみをバッファメモリ１１０に残し、残りの振幅−周波数特性データはバッファメモリ１１０から消去する。続いて、バッファメモリ１１０に残っている振幅−周波数特性データはスペクトル変換部１３０で、振幅−周波数特性データから圧縮データ（或いは伸張後のデータ）に変換し、バッファメモリ１１０に格納される。このようにして、Ｓ１２ステップで選択された楽器の演奏部分のみの音楽データがバッファメモリ１１０に格納される
続くＳ１３ステップでは、Ｓ１２ステップでバッファメモリ１１０に格納された音楽データを、ＲＡＭ３２に格納する。尚、ＲＡＭ３２に音楽データを格納する際に、ユーザの入力部４０からの操作に基づいて、タイトルを入力し、音楽データとタイトルとを対応付けてＲＡＭ３２に格納しても良い。
【００３６】
尚、第１実施例装置や第２実施例装置で取り出した音楽データを、着信メロディとして登録可能としても良いし、更に、特定の相手先からの着信があると取り出した音楽データを再生して着信メロディとする構成としても良い。これら着信メロディとして登録する機能は既存の技術を持いれば良いため、説明を省略する。
【００３７】
以上説明したように、本実施例装置では、ユーザの所望の演奏部分を取り出したり、所望の楽器の演奏のみを取り出すことが可能である為、交響曲といった複数の楽器により演奏する音楽から、ユーザの好きな部分のみを取り出して聞いたり、ユーザの好きな楽器の演奏部分のみを取り出して聞くことが可能である。又、これら取り出した音楽データを着信メロディとして設定することも可能である為、ユーザの好きな着信音で着信を報知することが可能である。
【００３８】
尚、本実施例では携帯電話装置において実施したが、音楽データを再生可能な電子機器であれば、他の電子機器においても本発明を適用可能である。
【００３９】
又、本実施例装置では、所望の楽器の音楽データを取り出す構成があるが、取り出した音楽データを複数組み合わせ、再生、格納可能としても良い。換言すれば、取り出した特定の楽器の音楽データを複数個組合せ、どの楽器で演奏するかをユーザが選択可能としても良い。
【図面の簡単な説明】
【００４０】
【図１】本発明の一実施例にかかる携帯電話装置のブロック図である。
【図２】本発明を適用してなる第１実施例装置のフロー図である。
【図３】ディスプレイ６０の表示形態を示す図である。
【図４】ディスプレイ６０の表示形態を示す図である。
【図５】本発明を適用してなる第２実施例装置のフロー図である。
【図６】ディスプレイ６０の表示形態を示す図である。
【符号の説明】
【００４１】
３０・・・・制御回路
３２・・・・ＲＡＭ
４０・・・・入力部
６０・・・・ディスプレイ
１００・・・制御回路
１１０・・・バッファメモリ
１２０・・・周波数変換部
１３０・・・スペクトル変換部
１４０・・・制御部
１５０・・・音声コーデック
【図１】
2009128727.tif 000003
【図２】
2009128727.tif 000004
【図３】
2009128727.tif 000005
【図４】
2009128727.tif 000006
【図５】
2009128727.tif 000007
【図６】
2009128727.tif 000008